(57)【要約】【課題】計測した気象情報に基づいて天気予測を行う携帯電子機器において、離れた位置における天気予測を簡単に行うことを可能とする。【解決手段】携帯電子機器Ｃ４，Ｃ５・・・は、基地局Ｃ３とネットワークＣ１を介してサーバ装置Ｃ２に接続され、所定時間ごとに気象情報と位置情報を計測する。そして、気象情報をメモリに記憶し、位置情報をサーバ装置Ｃ２へ送信する。携帯電子機器（例えば、Ｃ４）は、指定された地域に位置する他の携帯電子機器（例えば、Ｃ５）から気象情報を入手し、この気象情報をグラフ表示すると共に気圧値の変化から数時間後の天気を予測し出力する。【選択図】  図１
2004191265.tif 000002
【特許請求の範囲】
【請求項１】
ネットワークを介してサーバ装置に接続された携帯電子機器において、
前記携帯電子機器の位置を取得する位置情報取得手段と、
前記位置情報取得手段によって取得した位置情報の時間的な変化から携帯電子機器が移動中か否かを判断する判断手段と、
前記判断手段によって前記携帯電子機器が移動中でないと判断された場合に気象情報を計測する気象情報計測手段と、
現在の時刻を計時する時刻計時手段と、
前記位置情報取得手段によって取得した位置と前記気象情報計測手段によって計測された気象情報をサーバ装置へ送信する送信手段と、
前記気象情報計測手段によって計測された気象情報に前記時刻計時手段における時間情報を付加してメモリに記憶する記憶手段と、
を有することを特徴とする携帯電子機器。
【請求項２】
ネットワークを介してサーバ装置に接続された携帯電子機器において、
気象予測を行う位置を指定する位置指定手段と、
前記携帯電子機器の位置を取得する位置取得手段と、
前記位置取得手段によって取得した携帯電子機器の位置と前記位置指定手段によって指定した気象予測を行う位置とを比較した結果、前記携帯電子機器の位置と気象予測を行う位置とが異なる場合にサーバ装置から気象情報を受信する受信手段と、
前記受信手段によって受信した気象情報に基づいてグラフを作成するグラフ作成手段と、
前記グラフ作成手段によって作成されたグラフから数時間後の気象予測を行い結果を出力するグラフ出力手段と、
を有することを特徴とする携帯電子機器。
【請求項３】
前記受信手段によって受信した気象情報から天気を判断する天気判断手段と、
前記天気判断手段によって判断された天気と前記受信手段によって受信された気象情報とを同一のグラフ線上に表示することを特徴とする請求項２記載の携帯電子機器。
【請求項４】
ネットワークを介してサーバ装置に接続された携帯電子機器において、
指定された天気に対応する気象情報を記憶する気象情報記憶手段と、
指定された検索地域に対応するエリア情報を記憶するエリア情報記憶手段と、
サーバ装置に前記気象情報記憶手段によって記憶された気象情報と前記エリア情報記憶手段によって記憶されたエリア情報とを送信する送信手段と、
前記エリア情報記憶手段における検索地域内で前記気象情報記憶手段において指定された天気に対応するエリアデータをサーバ装置から受信し出力する受信出力手段と、
を有することを特徴とする請求項２記載の携帯電子機器。
【請求項５】
ネットワークを介して携帯電子機器を接続したサーバ装置において、
複数の携帯電子機器が配置する配置データを記憶する記憶手段と、
第１の携帯電子機器から気象予測を行いたい位置の位置データを受信する気象予測位置受信手段と、
この気象予測位置受信手段によって受信した位置データに基づく位置に配置する第２の携帯電子機器を前記記憶手段から抽出する抽出手段と、
この抽出手段によって抽出された第２の携帯電子機器から気象情報を受信する受信手段と、
この受信した気象情報を前記第１の携帯電子機器へ送信する気象情報送信手段と、
を有することを特徴とするサーバ装置。
【請求項６】
ネットワークを介して携帯電子機器を接続したサーバ装置において、
複数の携帯電子機器が配置する配置データと前記複数の携帯電子機器が計測した気象情報とを受信し記憶する受信記憶手段と、
第１の携帯電子機器から検索地域を指定するエリア情報を受信するエリア受信手段と、
前記第１の携帯電子機器から天気に対応する気象情報を受信する気象受信手段と、
前記エリア受信手段によって受信されたエリア情報によって指定された検索地域内に位置する第２の携帯電子機器を前記受信記憶手段の中から抽出する抽出手段と、
前記抽出手段によって抽出された第２の携帯電子機器の中から前記気象受信手段によって受信された天気に対応する気象情報に一致する気象情報を有する第３の携帯電子機器を検出する検出手段と、
前記検出手段によって検出された第３の携帯電子機器の位置情報を前記受信記憶手段から抽出し前記第１の携帯電子機器へ送信する送信手段と、
を有することを特徴とするサーバ装置。
【請求項７】
ネットワークを介してサーバ装置に接続された携帯電子機器に装備されたコンピュータに用いられたプログラムであって、
前記コンピュータに、
前記携帯電子機器の位置を取得する位置情報取得機能と、
前記位置情報取得機能によって取得した位置情報の時間的な変化から携帯電子機器が移動中か否かを判断する判断機能と、
前記判断機能によって前記携帯電子機器が移動中でないと判断された場合に気象情報を計測する気象情報計測機能と、
現在の時刻を計時する時刻計時機能と、
前記位置情報取得機能によって取得した位置と前記気象情報計測機能によって計測された気象情報をサーバ装置へ送信する送信機能と、
前記気象情報計測機能によって計測された気象情報に前記時刻計時機能における時間情報を付加してメモリに記憶する記憶機能と、
を実現するためのプログラム。
【請求項８】
ネットワークを介してサーバ装置に接続された携帯電子機器に装備されたコンピュータに用いられたプログラムであって、
前記コンピュータに、
気象予測を行う位置を指定する位置指定機能と、
前記携帯電子機器の位置を取得する位置取得機能と、
前記位置取得機能によって取得した携帯電子機器の位置と前記位置指定機能によって指定した気象予測を行う位置とを比較した結果、前記携帯電子機器の位置と気象予測を行う位置とが異なる場合にサーバ装置から気象情報を受信する受信機能と、
前記受信機能によって受信した気象情報に基づいてグラフを作成するグラフ作成機能と、
前記グラフ作成機能によって作成されたグラフから数時間後の気象予測を行い結果を出力するグラフ出力機能と、
を実現するためのプログラム
【請求項９】
ネットワークを介して携帯電子機器を接続したサーバ装置に装備されたコンピュータに用いられたプログラムであって、
前記コンピュータに、
複数の携帯電子機器が配置する配置データを記憶する記憶機能と、
第１の携帯電子機器から気象予測を行いたい位置の位置データを受信する気象予測位置受信機能と、
この気象予測位置受信機能によって受信した位置データに基づく位置に配置する第２の携帯電子機器を前記記憶機能から抽出する抽出機能と、
この抽出機能によって抽出された第２の携帯電子機器から気象情報を受信する受信機能と、
この受信した気象情報を前記第１の携帯電子機器へ送信する気象情報送信機能と、
を実現するためのプログラム
【発明の詳細な説明】
【０００１】
【発明の属する技術分野】
本発明は、計測した気象情報に基づいて天気予測を行う携帯電子機器、サーバ装置及びプログラムに関する。
【０００２】
【従来の技術】
従来、天気予報の機能を付加した時計装置として、気圧センサーによって測定した気圧情報から気圧の変化量を検出し、この変化量に基づいて天気の変動を予測し、天気予報の表示を行うものがあった（例えば、特許文献１参照）。
また、サーバ装置が気象観測可能な複数の移動体端末から気象データを収集し、解析処理を行った気象情報をインターネットを介して利用者の端末に配信することにより、利用者が希望する地区の気象情報を得られるようにしたもがある（例えば、特許文献２参照）。
【０００３】
【特許文献１】
特開平７−７７５８３号公報
【特許文献２】
特開２００２−４４２８９号公報
【０００４】
【発明が解決しようとする課題】
しかしながら、特許文献１の場合は、時計装置がきめられた位置に固定されているため、天気予測できる地域は、時計装置が置かれた位置に限定されてしまうという問題があった。
また、特許文献２の場合は、気象データを収集する移動体端末と気象情報を要求する端末を別々に設けるとともに、サーバ装置は移動体端末から収集した気象データについて解析処理を行い、その結果を利用者の端末に配信する、という専用の大掛かりなシステムが必要となる問題があった。
【０００５】
本発明の目的は、大掛かりなシステムを構成することなく、希望する地域の気象情報を入手し、この入手した気象情報に基づいて天気予測を行うことを可能とする気象情報提供装置、気象情報提供サーバ及びプログラムを提供することである。
【０００６】
【課題を解決するための手段】
上記の課題を解決するため、請求項１記載の発明は、ネットワークを介してサーバ装置に接続された携帯電子機器において、前記携帯電子機器の位置を取得する位置情報取得手段（例えば、図２０のＳ１０１）と、前記位置情報取得手段によって取得した位置情報の時間的な変化から携帯電子機器が移動中か否かを判断する判断手段（例えば、図２０のＳ１０２）と、前記判断手段によって前記携帯電子機器が移動中でないと判断された場合に気象情報を計測する気象情報計測手段（例えば、図２０のＳ１０３）と、現在の時刻を計時する時刻計時手段（例えば、図２０のＳ１０４）と、前記位置情報取得手段によって取得した位置と前記気象情報計測手段によって計測された気象情報をサーバ装置へ送信する送信手段（例えば、図２０のＳ１０６）と、前記気象情報計測手段によって計測された気象情報に前記時刻計時手段における時間情報を付加してメモリに記憶する記憶手段（例えば、図２０のＳ１０８）と、を有することを特徴とする。
【０００７】
請求項１記載の発明によれば、携帯電子機器は、自己の位置を計測し、この計測した位置の時間的な変化を観測することによって移動中か否かを判断し、移動中でないならば気象情報を計測すると共に現在の時刻を計時し、前記自己の位置と前記計測した気象情報をサーバ装置へ送信する。そして、更に、携帯電子機器は、前記気象情報に前記計時した現在の時刻を対応付けて自己のメモリに記憶する。
よって、携帯電子機器は、所定時間毎に自己の位置情報とこの位置における気象情報を計測し、サーバ装置へ送信する。一方サーバ装置は、所定時間毎に携帯電子機器から位置情報と気象情報を入手し記憶することによって、携帯電子機器の配置する位置と、この位置における気象情報を常に把握することができる。
また、携帯電子機器は、所定時間毎に計測した気象情報を自己のメモリに記憶することによって、この記憶した気象情報に基づいて気象予測を行うことができる。
【０００８】
請求項２記載の発明は、ネットワークを介してサーバ装置に接続された携帯電子機器において、気象予測を行う位置を指定する位置指定手段（例えば、図２１のＳ２０１）と、前記携帯電子機器の位置を取得する位置取得手段（例えば、図２１のＳ２０２）と、前記位置取得手段によって取得した携帯電子機器の位置と前記位置指定手段によって指定した気象予測を行う位置とを比較した結果、前記携帯電子機器の位置と気象予測を行う位置とが異なる場合にサーバ装置から気象情報を受信する受信手段（例えば、図２１のＳ２０８）と、前記受信手段によって受信した気象情報に基づいてグラフを作成するグラフ作成手段（例えば、図２１のＳ２０９）と、前記グラフ作成手段によって作成されたグラフから数時間後の気象情報を予測した結果を出力するグラフ出力手段（例えば、図２１のＳ２１０、Ｓ２１１）と、を有することを特徴とする。
【０００９】
請求項２記載の発明によれば、携帯電子機器は、自己の位置を計測し、気象予測を行う位置として指定された位置と自己の位置が異なる場合に、サーバ装置から気象情報を受信し、この受信した気象情報から数時間後の気象情報を予測してグフを表示する。
よって、携帯電子機器は、現在配置された位置とは異なる場所における気象情報をサーバ装置から入手することができる。そして、この入手した気象情報に基づいて数時間後の気象情報について気象予測を行うことができる。更に、気象予測結果をグラフに表示することができる。
【００１０】
請求項３記載の発明は、請求項２に記載の携帯電子機器において、前記受信手段によって受信した気象情報から天気を判断する天気判断手段と、前記天気判断手段によって判断された天気と前記受信手段によって受信された気象情報とを同一のグラフ線上に表示する（例えば、図２１のＳ２１１、図２７）ことを特徴とする。
【００１１】
請求項３記載の発明によれば、請求項２記載の発明と同様の効果が得られることは無論のこと、特に、サーバ装置から受信した気象情報と、この気象情報から判断した天気とを同一のグラフ線上に天気を識別して表示するようにしたので、天気とこの天気を判断する気象情報、及び、天気とこの天気を判断する気象情報との関係を一目で把握することができる。
【００１２】
請求項４記載の発明は、請求項２に記載の携帯電子機器において、ネットワークを介してサーバ装置に接続された携帯電子機器において、指定された天気に対応する気象情報を記憶する気象情報記憶手段（例えば、図２２のＳ３０１、Ｓ３０２）と、
指定された検索地域に対応するエリア情報を記憶するエリア情報記憶手段（図２２のＳ３０３）と、
サーバ装置に前記気象情報記憶手段によって記憶された気象情報と前記エリア情報記憶手段によって記憶されたエリア情報とを送信する送信手段（例えば、図２２のＳ３０５）と、
前記エリア情報記憶手段における検索地域内で前記気象情報記憶手段において指定された天気に対応するエリアデータをサーバ装置から受信し出力する受信出力手段（例えば、図２２のＳ３０６、図３０７）と、を有することを特徴とする。
【００１３】
請求項４記載の発明によれば、請求項２記載の発明と同様の効果が得られることは無論のこと、特に、携帯電子機器は、指定された天気に対応するエリアデータを、指定された検索地域の範囲内でサーバ装置から受信し出力するようにしたので、天気を指定すると、現在指定された天気と同じ天気の地域を簡単に把握することができる。
【００１４】
請求項５記載の発明は、ネットワークを介して携帯電子機器を接続したサーバ装置において、複数の携帯電子機器が配置する配置データを記憶する記憶手段（例えば、図１５のｎ１０２）と、第１の携帯電子機器から気象予測を行いたい位置の位置データを受信する気象予測位置受信手段（例えば、図１６のｎ２０２）と、この気象予測位置受信手段によって受信した位置データに基づく位置に配置する第２の携帯電子機器を前記記憶手段から抽出する抽出手段（例えば、図１６のｎ２０３）と、この抽出手段によって抽出された第２の携帯電子機器から気象情報を受信する受信手段（例えば、図１６のｎ２０５）と、この受信した気象情報を前記第１の携帯電子機器へ送信する気象情報送信手段（例えば、図１６のｎ２０６）と、を有することを特徴とする。
【００１５】
請求項５記載の発明によれば、第１の携帯電子機器から気象予測を行いたい位置データを受信し、この受信した位置データに基づく位置に配置する第２の携帯電子機器を記憶手段から抽出し、第２の携帯電子機器から受信した気象情報を第１の携帯電子機器に送信するようにした。
よって、サーバ装置は、携帯電子機器の位置情報とこの位置における気象情報を記憶手段に保持しているので、第１の携帯電子機器が指定した位置における気象情報を簡単に記憶手段から抽出し、速やかに前記第１の携帯電子機器に通知することができる。
【００１６】
請求項６記載の発明は、ネットワークを介して携帯電子機器を接続したサーバ装置において、複数の携帯電子機器が配置する配置データと前記複数の携帯電子機器が計測した気象情報とを受信し記憶する受信記憶手段（例えば、図１５のｎ１０２、ｎ１０４）と、第１の携帯電子機器から検索地域を指定するエリア情報を受信するエリア受信手段（例えば、図１７のｎ３０２）と、前記第１の携帯電子機器から天気に対応する気象情報を受信する気象受信手段（例えば、図１７のｎ３０２）と、前記エリア受信手段によって受信されたエリア情報によって指定された検索地域内に位置する第２の携帯電子機器を前記受信記憶手段の中から抽出する抽出手段（例えば、図１７のｎ３０３）と、前記抽出手段によって抽出された第２の携帯電子機器の中から前記気象受信手段によって受信された天気に対応する気象情報に一致する気象情報を有する第３の携帯電子機器を検出する検出手段（例えば、図１７のｎ３０３）と、前記検出手段によって検出された第３の携帯電子機器の位置情報を前記受信記憶手段から抽出し前記第１の携帯電子機器へ送信する送信手段（例えば、図１７のｎ３０４、ｎ３０５）と、を有することを特徴とする。
【００１７】
請求項６記載の発明によれば、サーバ装置は、第１の携帯電子機器から検索地域を指定するエリア情報と天気に対応する気象情報を受信し、この受信したエリアに位置し、且つ、前記天気に対応する気象情報を有する第３の携帯電子機器を記憶手段から抽出し前記第１の携帯電子機器に通知する。
よって、サーバ装置は、携帯電子機器の位置情報とこの位置における気象情報を記憶手段に保持しているので、受信したエリアに位置し、且つ、指定された天気に対応する気象情報を有する第３の携帯電子機器を簡単に前記記憶手段から抽出し、速やかに前記第１の携帯電子機器に通知することができる。
【００１８】
【発明の実施の形態】
以下、図を参照しながら、本発明の実施形態について詳細に説明する。
【００１９】
図１は、本発明における一実施形態に係る気象情報提供装置及び気象情報提供サーバの接続構成を示す図である。なお、本実施形態では、気象情報提供装置として使用者が所持する携帯電子機器を想定して説明するものとする。
図１において、Ｃ２はサーバ装置である。このサーバ装置Ｃ２は、通信を介して携帯電子機器Ｃ４，Ｃ５・・・に接続される。図１の例では、サーバ装置Ｃ２は、無線通信網、公衆網、専用回線などを含むネットワークＣ１を介して各エリアに接地された基地局Ｃ３に接続され、この基地局Ｃ３から更に無線通信を介して前記携帯電子機器Ｃ４，Ｃ５・・・に接続される。これら携帯電子機器Ｃ４，Ｃ５・・・の各々には位置計測部が設けられ、現在位置を示す情報を基地局Ｃ３及びネットワークＣ１を介してサーバ装置Ｃ２に発信している。前記位置計測部としては、例えばＧＰＳ(global positioning system)が用いられる。サーバ装置Ｃ２は、前記携帯電子機器Ｃ４，Ｃ５・・・から発信される位置情報を記憶更新することで、前記携帯電子機器Ｃ４，Ｃ５・・・の各々が常に何処に位置しているかを監視することができる。
また、サーバ装置Ｃ２は、例えば、携帯電子機器Ｃ４，から位置データを受信した場合に、この位置データに対応した位置に現在位置する別の携帯電子機器Ｃ５に対して気象情報提供要求を行い気象情報を受信する。そして、この受信した気象情報を前記携帯電子機器Ｃ４に発信する。
【００２０】
携帯電子機器Ｃ４，Ｃ５・・・は、気象情報を計測するセンサーを付加し、所定時間（例えば、１時間）毎に気象計測を行い計測した気象データを自己のメモリに記憶する。そして、使用者の指示に従って計測結果をグラフ表示し数時間後の天気の予測を行う。
また、使用者が、前記携帯電子機器（例えば、Ｃ４）に天気の予測を行う位置を指定した場合は、この指定された位置に対応した位置データを前記携帯電子機器（例えば、Ｃ４）から基地局Ｃ３及びネットワークＣ１を介してサーバ装置Ｃ２に発信する。そして、前記指定された位置に現在位置する別の携帯電子機器（例えば、Ｃ５）が計測した気象情報のデータをサーバ装置を介して前記携帯電子機器（例えば、Ｃ４）が受信し、この受信した気象情報をグラフ表示すると共に数時間後の天気を予測し、前記受信した気象情報と共に表示する。
なお、上記では、別の携帯電子機器（例えば、Ｃ５）が計測した気象情報のデータをサーバ装置から受信するようにしたが、別の携帯電子機器（例えば、Ｃ５）から直接受信するようにしても良い。
【００２１】
図２はサーバ装置Ｃ２の構成を示すブロック図である。なお、サーバ装置Ｃ２は、例えば磁器ディスク等の記憶媒体に記憶されたプログラムを読み込み、このプログラムによって動作が制御されるコンピュータによって実現されるものである。
【００２２】
図２に示すように、サーバ装置Ｃ２は、ＣＰＵ（Central Processing Unit）Ａ１、タイマーカウントＡ１ａ、入力部Ａ２、表示部Ａ３、通信制御部Ａ４、データバスＡ５、記憶媒体Ａ６、外部記憶装置Ａ７、ＲＯＭ(read Only Memory)Ａ８、ＲＡＭ(Random Access Memory)Ａ９を備えている。
【００２３】
ＣＰＵ Ａ１は本装置の全体の制御を司るものであり、ＲＯＭ Ａ８に予め記憶されたプログラムまたは外部記憶装置Ａ７を介して記憶媒体Ａ６に記憶されたプログラムを読み込むことで各種の処理を実行する。
ＣＰＵ Ａ１は、図１４に示すように位置データ受信処理ｎ１００、気象情報提供処理ｎ２００，ｎ４００、天気エリア情報の提ｎ３００を実行する。
【００２４】
位置データ受信処理ｎ１００は、携帯電子機器Ｃ４，Ｃ５・・・から受信した位置データに関する情報を、時間データを付加してＲＡＭ Ａ９に記憶する。
気象情報提供処理ｎ２００は、携帯電子機器（例えば、Ｃ４）から気象情報提供要求と共に位置データを受信し、この受信した位置データに対する位置に現在位置する別の携帯電子機器（例えば、Ｃ５）をＲＡＭ Ａ９から抽出し、この抽出した別の携帯電子機器（例えば、Ｃ５）から気象情報を入手し、この入手した気象情報を前記携帯電子機器（例えば、Ｃ４）に送信する。
【００２５】
気象情報提供処理ｎ４００は、携帯電子機器（例えば、Ｃ４）から気象情報提供要求と共に位置データを受信し、この受信した位置データに対応した位置に現在位置する別の携帯電子機器（例えば、Ｃ５）をＲＡＭ Ａ９から抽出し、この抽出した別の携帯電子機器（例えば、Ｃ５）の情報を前記携帯電子機器Ｃ４に送信する。
【００２６】
天気エリア情報の提供ｎ３００は、使用者が指定した地域のエリアデータと、目的とする天気（晴れ、曇り、雨・・・）のデータを携帯電子機器Ｃ４，Ｃ５・・・から受信し、ＲＡＭ Ａ９から、前記指定した地域に含まれて、且つ、目的とする天気に該当する地域を抽出し、目的とする天気のエリアデータとして前記携帯電子機器Ｃ４，Ｃ５・・・に送信する。
また、ＣＰＵ Ａ１は、内部にタイマーカウントＡ１ａを所持し、日時をカウントしている。
【００２７】
ＲＯＭ Ａ８には、制御プログラムなどの各種情報が予め記憶されている。
ＲＡＭ Ａ９は、ＣＰＵ Ａ１の処理に必要な各種情報を記憶してワークメモリとして使用されるものであり、本装置では、図３に示すように携帯電子機器Ｃ４，Ｃ５・・・から送られてきた位置データと時間データを格納する位置情報格納領域Ａ９ａ、目的とする天気に該当する位置を抽出する際の抽出用テーブルとしての天気のエリア情報格納領域Ａ９ｂと、別の携帯電子機器Ｃ４，Ｃ５・・・から入手した気象情報を格納する気象情報格納領域Ａ９ｃが設けられている。
【００２８】
記憶媒体Ａ６及び外部記憶装置Ａ７は、例えば磁器ディスクなどのメディアとその読み取り装置（ＨＤＤ等）である。この記憶媒体Ａ６に本発明を実現する為のプログラムを記憶して外部記憶装置Ａ７を介して提供することができる。
外部記憶装置Ａ７としては、例えば、フレキシブルディスク装置、磁気ディスク装置、光ディスク装置、ＣＤ−ＲＯＭ装置などであり、記憶媒体Ａ６はこれらの装置に対応したメディアである。なお、プログラムの提供方法としては、記憶媒体Ａ６に限らず、そのプログラム自体を例えば外部端末からネットワークＣ１を介して提供することでも良い。
【００２９】
更に、本装置には、入力部Ａ２、表示部Ａ３，通信制御部Ａ４等が設けられている。これらはＲＯＭ Ａ８、ＲＡＭ Ａ９、外部記憶装置Ａ７と共にデータバスＡ５を介してＣＰＵ Ａ１に接続される。
【００３０】
入力部Ａ２は、例えばキーボード、マウス、タッチパネルなどからなる入力デバイスであり、データの入力や各種指示を行う。表示部Ａ３は、例えばＬＣＤ（Liquid Crystal Display）やＣＲＴ（Cathode-ray tube）などからなる表示デバイスであり、各種データの表示を行う。
通信制御部Ａ４は、ネットワークＣ１及び基地局Ｃ３を介して携帯電子機器Ｃ４，Ｃ５・・・とデータの送受を行う。
【００３１】
図３は、サーバ装置Ｃ２のＲＡＭ Ａ９の詳細な構成を示した図である。本装置におけるＲＡＭ Ａ９は、位置情報格納領域Ａ９ａ、天気のエリア情報格納領域Ａ９ｂ、気象情報格納領域Ａ９ｃの領域から構成される。
位置情報格納領域Ａ９ａは、後述するように、位置データ受信処理ｎ１００においてサーバ装置Ｃ２が受信した携帯電子機器Ｃ４，Ｃ５・・・の現在位置する位置データと、この位置データを計測した時間データを登録する領域である。
天気のエリア情報格納領域Ａ９ｂは、後述するように、位置データ受信処理ｎ１００においてサーバ装置Ｃ２が受信した携帯電子機器Ｃ４，Ｃ５・・・の現在位置する位置データと、この位置データを計測した時間データと、更に、前記現在位置における気象情報を登録する領域である。
気象情報格納領域Ａ９ｃは、気象情報提供処理ｎ２００において、別の携帯電子機器Ｃ４，Ｃ５・・・から入手した気象情報を一時的に格納する領域である。
【００３２】
図４は、位置情報格納領域Ａ９ａの詳細な構成を示した図である。この位置情報格納領域Ａ９ａは、携帯電子機器Ｃ４，Ｃ５・・・が所定時間（例えば、１時間）毎に計測を行った位置情報と時間情報を受信し、各携帯電子機器Ｃ４，Ｃ５・・・毎に「緯度」、「経度」、「日時」の情報を登録する。「緯度」、「経度」は、各携帯電子機器Ｃ４，Ｃ５・・・がＧＰＳ衛星から受信したＧＰＳ情報に基づいて各携帯電子機器Ｃ４，Ｃ５・・・が算出し、時間情報を対応させてサーバ装置に送信される。また、位置情報格納領域Ａ９ａには、各携帯電子機器Ｃ４，Ｃ５・・・が計測した最新の位置情報が登録される。
【００３３】
図５は、天気のエリア情報格納領域Ａ９ｂの詳細な構成を示した図である。この天気のエリア情報格納領域Ａ９ｂは、携帯電子機器Ｃ４，Ｃ５・・・が所定時間（例えば、１時間）毎に計測を行った位置情報と時間情報を受信する際に気象情報も受信したならば、この気象情報を前記位置情報と時間情報に対応付けて登録したものである。この場合、各携帯電子機器Ｃ４，Ｃ５・・・毎に「緯度」、「経度」、「日時」、「気圧」、「気温」、「湿度」の最新の情報が登録される。
【００３４】
図６は、気象情報格納領域Ａ９ｃの詳細な構成を示した図である。この気象情報格納領域Ａ９ｃは、サーバ装置Ｃ２が、別の携帯電子機器（例えば、Ｃ５）から入手した気象情報について、気象情報提供要求を行った携帯電子機器（例えば、Ｃ４）に送信する場合に、前記別の携帯電子機器（例えば、Ｃ５）から入手した気象情報を一時的に格納する領域である。
【００３５】
図７は、使用者が所持する携帯電子機器Ｃ４，Ｃ５・・・の構成を示すブロック図である。なお、携帯電子機器Ｃ４，Ｃ５・・・は、前記サーバ装置Ｃ２と同様にプログラムによって動作が制御されるコンピュータによって実現される。また、携帯電子機器Ｃ４，Ｃ５・・・は、例えば、携帯電話・ＰＨＳ(personal handy-phone system)等の無線通信装置や、この無線通信装置が塔載されたＰＤＡ(personal digital assistant)等の携帯型の端末装置である。
【００３６】
図７に示すように、携帯電子機器Ｃ４，Ｃ５・・・は、ＣＰＵ（Central Processing Unit）Ｂ１、タイマーカウントＢ１ａ、入力部Ｂ２、表示部Ｂ３、アンテナＢ４、位置計測部Ｂ５，通信制御部Ｂ６、データバスＢ７、音声制御部Ｂ８、気象データ制御部Ｂ９、ＲＯＭ(read Only Memory)Ｂ１０、ＲＡＭ(Random AccessMemory)Ｂ１１、気圧センサーＢ１２、温度センサーＢ１３、湿度センサーＢ１４、スピーカーＢ１５，マイクＢ１６を備えている。
【００３７】
ＣＰＵ Ｂ１は本装置の全体を司るものであり、ＲＯＭ Ｂ１０に予め記憶されたプログラムを読み込むことで各種の処理を実行する。
ＣＰＵ Ｂ１は、図１９に示すように気象計測処理Ｓ１００、気象予測処理Ｓ２００，Ｓ５００、天気のエリア表示Ｓ３００、気象情報提供処理Ｓ４００、Ｓ６００を実行する。
【００３８】
気象計測処理Ｓ１００は、所定時間（例えば、１時間）毎にＧＰＳ衛星から受信したＧＰＳ情報に基づいて位置情報を算出し、この算出した位置情報の時間的変化から移動中か否かを判断し、移動中でない場合に、気象情報の計測と時間情報の計時を行う。そして、サーバ装置Ｃ２に前記算出した位置情報と時間情報を送信すると共に、前記計測した気象情報に時間情報を対応付けてＲＡＭ Ｂ１１に記憶する。
更に、前記時間情報を計時した際に、予め定められた時間（例えば、６時・９時・１２時・１５時・１８時・２１時）であるならば、前記算出した位置情報と時間情報の他に前記計測した気象情報も対応付けてサーバ装置に送信する。
【００３９】
気象予測処理Ｓ２００は、使用者の気象予測の指示に基づいて、現在位置する場所の気象を予測する場合は携帯電子機器（例えば、Ｃ４）に記憶された気象情報に関するデータを読出して、気象情報をグラフ表示するとともに数時間後の天気を予測し通知する。また、現在位置する場所以外の位置に関する気象を予測する場合は、他の携帯電子機器（例えば、Ｃ５）が記憶している気象情報に関するデータをサーバ装置を介して入手し上記と同様に気象情報をグラフ表示するとともに数時間後の天気を予測し通知する。
【００４０】
気象予測処理Ｓ５００は、使用者の気象予測の指示に基づいて、現在位置する場所の気象を予測する場合は携帯電子機器（例えば、Ｃ４）に記憶された気象情報に関するデータを読出して、気象情報をグラフ表示するとともに数時間後の天気を予測し通知する。また、現在位置する場所以外の位置に関する気象を予測する場合は、他の携帯電子機器（例えば、Ｃ５）が記憶している気象情報に関するデータを前記他の携帯電子機器（例えば、Ｃ５）から直接入手し上記と同様に気象情報をグラフ表示するとともに数時間後の天気を予測し通知する。
【００４１】
天気のエリア表示Ｓ３００は、使用者が指定した地域のエリアデータと、目的とする天気（晴れ、曇り、雨・・・）のデータをサーバ装置に送信し、サーバ装置から前記目的とする天気に該当する地域のエリアデータを受信し表示出力する。気象情報提供処理Ｓ４００は、サーバ装置から気象情報の提供要求を受信した場合に携帯電子機器Ｃ４，Ｃ５・・・に記憶された気象情報をサーバ装置に発信する。
また、気象情報提供処理Ｓ６００は、別の携帯電子機器（例えば、Ｃ５）から気象情報の提供要求を受信した場合に、携帯電子機器（例えば、Ｃ４）に記憶された気象情報を前記別の携帯電子機器（例えば、Ｃ５）に送信する。
また、ＣＰＵ Ｂ１は、内部にタイマーカウントＢ１ａを所持し、日時をカウントしている。
【００４２】
ＲＯＭ Ｂ１０は、制御プログラムや参照データ等の各種情報が予め記憶されている。
図８にＲＯＭ Ｂ１０の主要構成を示す。即ち、ＲＯＭ Ｂ１０は、気象情報提供プログラム格納領域Ｂ１０ａと、地図データ格納領域Ｂ１０ｂと、気圧と天気の対応データ格納領域Ｂ１０ｃの各エリアから構成される。
気象情報提供プログラム格納領域Ｂ１０ａは、ＣＰＵ Ｂ１において本発明に係る処理（気象計測処理、気象予測処理、天気のエリア表示、気象情報提供処理）を行う際に使用するプログラムが格納されている。
地図データ格納領域Ｂ１０ｂは、気象予測処理を行う際に表示部Ｂ３に地図を表示させ、使用者が予測したい位置を表示された地図上で指定する場合や、天気のエリア表示をさせる際に、表示部Ｂ３に地図を表示させ、表示された地図上で使用者がエリアを指定する場合等に使用される地図データが格納されている。
気圧と天気の対応データ格納領域Ｂ１０ｃは、図１１にその詳細を示すように、予め気圧値と天気を対応付けて登録したテーブルである。即ち、天気と気圧の値は対応関係があることが以前から知られており、変化した気圧の値から天気を予想することができる。例えば、気圧１００８ｈＰａ以上の天気は「晴れ」、気圧９９４ｈＰａ以上１００８ｈＰａ未満の天気は「曇り」、気圧９９４ｈＰａ未満の天気は「雨」というように気圧と天気が対応付けて記憶されている。
【００４３】
ＲＡＭ Ｂ１１は、ＣＰＵ Ｂ１の処理に必要な各種情報を記憶してワークメモリとして使用される。
図９にＲＡＭ Ｂ１１の主要構成を示す。即ち、ＲＡＭ Ｂ１１は、計測気象データ格納領域Ｂ１１ａと、受信気象データ格納領域Ｂ１１ｂと、受信した天気のエリアデータ格納領域Ｂ１１ｃと、ワーキングメモリ領域Ｂ１１ｄの各エリアから構成される。
計測気象データ格納領域Ｂ１１ａは、気象計測処理Ｓ１００によって計測された気象情報に時間情報を対応付けてを記憶しておく領域である。図１０は、前記計測気象データ格納領域Ｂ１１ａの詳細な構成を示したもので気圧、気温、湿度及びこれらの気象計測を行った日時のデータが登録される。
受信気象データ格納領域Ｂ１１ｂは、気象予測処理Ｓ２００，Ｓ５００を行う際に、別の携帯電子機器Ｃ４，Ｃ５・・・から受信した気象情報を記憶しておく領域である。図１２は、前記受信気象データ格納領域Ｂ１１ｂの詳細な構成を示したもので気圧、気温、湿度及びこれらの気象計測を行った日時のデータが登録される。
受信した天気のエリアデータ格納領域Ｂ１１ｃは、天気のエリア表示Ｓ３００を行う際に、サーバ装置Ｃ２から受信する、指定した天気に対応するエリアデータを登録する。図１３は、受信した天気のエリアデータ格納領域Ｂ１１ｃの詳細な構成を示したもので、サーバ装置から受信した緯度、経度の値が登録される。ワーキングメモリ領域Ｂ１１ｄは、ＣＰＵ Ｂ１が処理を行う際に各種情報を記憶するワーキングメモリとして使用する領域である。
【００４４】
位置計測部Ｂ５は、ＧＰＳ（global positioning system）衛星から受信用のアンテナＢ４を介してＧＰＳ情報を受信し、この受信したＧＰＳ情報から位置データを抽出することによって、携帯電子機器Ｃ４，Ｃ５・・・が現在位置する位置情報の計測を行う。
気象データ制御部Ｂ９は、気圧センサーＢ１２・温度センサーＢ１３・湿度センサーＢ１４等の気象情報を計測するための各種センサーを制御して気圧・温度・湿度等の各種気象情報を計測する。
音声制御部Ｂ８は、スピーカーＢ１５から出力される音声出力信号、及び、マイクＢ１６から入力される音声入力信号を制御する。
【００４５】
更に、携帯電子機器Ｃ４，Ｃ５・・・には、入力部Ｂ２，表示部Ｂ３、通信制御部Ｂ６などが設けられている。これらはＲＯＭ Ｂ１０、ＲＡＭ Ｂ１１、位置計測部Ｂ５，気象データ制御部Ｂ９，音声制御部Ｂ８と共にデータバスＢ７を介してＣＰＵ Ｂ１に接続される。
入力部Ｂ２は、例えばキーボード、マウス、タッチパネルなどからなる入力デバイスであり、データの入力や各種指示を行う。表示部Ｂ３は、例えばＬＣＤ（Liquid Crystal Display）などからなる表示デバイスであり、各種データの表示を行う。
通信制御部Ｂ６は、図１の基地局Ｃ３及びネットワークＣ１を介してサーバ装置Ｃ２とデータの送受を行うものである。この場合、携帯電子機器Ｃ４，Ｃ５・・・では、ＰＨＳ等の通信プロトコルに従って基地局Ｃ３との間で無線チャネルを確立した後に、基地局Ｃ３からネットワークＣ１を介してサーバ装置との間でデータ通信を行うことになる。
また、通信制御部Ｂ６は、携帯電子機器（例えば、Ｃ４）と別の携帯電子機器（例えば、Ｃ５）との間で無線通信にてデータの通信制御を行う。
【００４６】
次に、気象情報の提供動作におけるサーバ装置Ｃ２の処理をフローチャートを用いて（ａ）位置データの受信処理、（ｂ）気象情報提供処理、（ｃ）天気のエリア情報提供処理に分けて説明する。
なお、以下のフローチャートで示す各機能を実現させるためのプログラムは、サーバ装置Ｃ２ではＣＰＵ Ａ１が読み取り可能なプログラムコードの形態で図２に示す記憶媒体Ａ６に格納されている。
【００４７】
図１４は、サーバ装置Ｃ２の主な動作を示したフローチャートである。サーバ装置Ｃ２は、位置データ受信処理ｎ１００、気象情報提供処理ｎ２００,ｎ４００、天気エリア情報の提供ｎ３００の各動作処理を行う。
【００４８】
（ａ）位置データの受信処理
図１５は、サーバ装置Ｃ２における位置データ受信処理ｎ１００を示したフローチャートである。図１５のフローチャートに示すように、ＣＰＵ Ａ１は携帯電子機器Ｃ４，Ｃ５・・・からのアクセス要求を受けて位置データと時間データを受信すると（ステップｎ１０１）、この受信した位置データと時間データをＲＡＭ Ａ９の位置情報格納領域Ａ９ａに記憶する（ステップｎ１０２）。
次に、ＣＰＵ Ａ１は、前記受信したデータに気象情報に関するデータ（気圧、気温、湿度等）が付加されているか否かを判断し、気象情報に関するデータが付加されていると判断したならば（ステップｎ１０３；ｙｅｓ）、この気象情報、前記位置データ及び時間データをＲＡＭ Ａ９の天気のエリア情報格納領域Ａ９ｂに記憶（ステップｎ１０４）して、位置データ受信処理（ｎ１００）を終了する。
また、気象情報に関するデータが付加されていないならば（ステップｎ１０３；ｎｏ）、位置データ受信処理（ｎ１００）を終了する。
【００４９】
（ｂ）気象情報提供処理
図１６は、サーバ装置Ｃ２における気象情報提供処理ｎ２００を示したフローチャートである。図１６のフローチャートに示すように、ＣＰＵ Ａ１は携帯電子機器（例えば、Ｃ４）から気象情報提供要求の信号を受信し（ステップｎ２０１）、携帯電子機器（例えば、Ｃ４）の使用者が指定した気象予測位置の位置データを受信する（ステップｎ２０２）。
次に、ＣＰＵ Ａ１は、ＲＡＭ Ａ９の位置情報格納領域Ａ９ａに登録されたデータの中から、使用者が指定した気象予測位置に配置された携帯電子機器（例えば、Ｃ５）を検索し抽出する（ステップｎ２０３）。
次に、ＣＰＵ Ａ１は、前記抽出された携帯電子機器（例えば、Ｃ５）に対して気象情報の提供を要求する信号を送信し（ステップｎ２０４）、この携帯電子機器（例えば、Ｃ５）から気象情報を受信するまで気象情報の提供を要求する信号を送信し続ける（ステップｎ２０５；ｎｏ）。
次に、ＣＰＵ Ａ１は、携帯電子機器（例えば、Ｃ５）から気象情報に関するデータを受信すると（ステップｎ２０５；ｙｅｓ）、前記気象情報提供要求を行った携帯電子機器（例えば、Ｃ４）に対して前記受信した気象情報に関するデータを送信する。
【００５０】
例えば、ステップｎ２０２においてサーバ装置Ｃ２が携帯電子機器（例えば、Ｃ４）から位置データとして緯度＝Ｘ１±α、経度＝Ｙ１±αを受信すると、ＣＰＵ Ａ１はＲＡＭ Ａ９に登録された携帯電子機器Ｃ４，Ｃ５・・・に関する位置情報（図４のＡ９ａ）を検索し、受信した位置データ（緯度＝Ｘ１±α、経度＝Ｙ１±α）に最も近い位置にいる携帯電子機器（Ａ１０１）を抽出する。そして、ＣＰＵ Ａ１は、この携帯電子機器（Ａ１０１）に気象情報提供要求を行ってこの携帯電子機器（Ａ１０１）から気象情報に関するデータを受信し、この受信した気象情報に関するデータを携帯電子機器（例えば、Ｃ４）に送信する。
これによりサーバ装置Ｃ２は、気象情報提供要求を行った携帯電子機器（例えば、Ｃ４）が、使用者が気象予測したい位置に対して最適な位置にいる携帯電子機器（Ａ１０１）から気象情報に関するデータを受信する際の中継基地としての働きを司る。
【００５１】
このように、図１６ではサーバ装置Ｃ２を介して気象情報に関するデータの転送を行ったが、前記携帯電子機器（Ａ１０１）から気象情報提供要求を行った携帯電子機器（例えば、Ｃ４）に直接気象情報に関するデータの転送を行うようにしてもよい。
【００５２】
図１８は、直接気象情報に関するデータを転送する場合におけるサーバ装置の動作処理を示したフローチャートｎ４００である。
図１８のステップｎ４０１及びｎ４０２は、図１６のステップｎ２０１及びｎ２０２と同じ動作処理を示すフローチャートであり、その説明を省略する。
次に、ＣＰＵ Ａ１は、使用者が気象予測したい位置の近傍にいる携帯電子機器（Ａ１０１）を抽出し、この携帯電子機器（Ａ１０１）に関する情報（例えば、メールアドレス、回線ナンバーなど）をＲＡＭ Ａ９ａから読出する（ステップｎ４０３）。
次に、ＣＰＵ Ａ１は、気象情報提供要求を行った携帯電子機器（例えば、Ｃ４）に前記携帯電子機器（Ａ１０１）に関する情報を送信する（ステップｎ４０４）。
これにより、携帯電子機器（例えば、Ｃ４）は、携帯電子機器（Ａ１０１）から直接気象情報に関するデータを受信することができる。
【００５３】
（ｃ）天気のエリア情報提供処理
図１７は、天気のエリア情報を提供する際のサーバ装置側の動作処理に関するフローチャートである。
天気のエリア情報の提供ｎ３００は、携帯電子機器Ｃ４，Ｃ５・・・の使用者が指定した地域エリアデータと、天気（晴れ、曇り、雨・・・）に対応する気圧値のデータを携帯電子機器Ｃ４，Ｃ５・・・から受信し、天気のエリア情報格納領域ＲＡＭ Ａ９ｂのデータの中から、指定した地域エリアデータの範囲に含まれ、且つ、前記天気に対応する気圧値のデータを有する携帯電子機器Ｃ４，Ｃ５・・・を抽出し、この携帯電子機器Ｃ４，Ｃ５・・・の位置のデータを読み出し、この読み出した位置のデータを使用者が指定した天気のエリアデータとして前記携帯電子機器Ｃ４，Ｃ５・・・に送信する。
【００５４】
図１７のフローチャートに示すように、ＣＰＵ Ａ１は、携帯電子機器（例えば、Ｃ４）から天気のエリア情報提供要求信号を受信し（ステップｎ３０１）、携帯電子機器（例えば、Ｃ４）の使用者が指定した天気に対応する気圧値と、この天気の地域を検索する際の検索範囲を示すエリアデータを受信する（ステップｎ３０２）。
このエリアデータは、使用者が携帯電子機器（例えば、Ｃ４）に表示させた地図上において範囲を指定し、又は、前記携帯電子機器（例えば、Ｃ４）に検索する地域名や住所を入力することによって指定することができる。
次に、ＣＰＵ Ａ１は、予め記憶された天気のエリア情報Ａ９ｂの中からステップｎ３０２で受信したエリアデータの範囲に位置する携帯電子機器（例えば、Ｃ５・・・）を抽出し、この抽出した携帯電子機器（例えば、Ｃ５・・・）の気象情報から気圧値データの読み出しを行う（ステップｎ３０３）。
次に、ＣＰＵ Ａ１は、この読み出された気圧値データの中から、ステップｎ３０２で受信した気圧値データに対応する携帯電子機器（例えば、Ｃ５）を抽出する（ステップｎ３０４）。
更に、ＣＰＵ Ａ１は、この抽出された携帯電子機器（例えば、Ｃ５）の位置情報を天気のエリア情報Ａ９ｂから抽出し、指定された天気のエリア情報として携帯電子機器（例えば、Ｃ４）に送信する。
【００５５】
例えば、ステップｎ３０２においてサーバ装置Ｃ２が携帯電子機器（例えば、Ｃ４）からエリアデータとして「関東北部」を受信すると、ＣＰＵ Ａ１はＲＡＭ Ａ９に登録された天気のエリア情報（図４のＡ９ｂ）を検索し、「関東北部」に含まれる緯度＝Ｘ１、経度＝Ｙ１を有する携帯電子機器（Ａ１０１）及びその他の携帯電子機器（図示せず）を抽出する。次に、ＣＰＵ Ａ１は、この携帯電子機器（Ａ１０１）及びその他の携帯電子機器（図示せず）に対応する気象情報の中から予め前記携帯電子機器（例えば、Ｃ４）から受信した気圧値データ（例えば、１００８ｈＰａ以上）に該当する携帯電子機器（Ａ１０１）を抽出し、この携帯電子機器（Ａ１０１）の位置データを天気のエリアデータとして携帯電子機器（例えば、Ｃ４）に送信する。
これによりサーバ装置Ｃ２は、天気のエリア情報の提供要求を行った携帯電子機器（例えば、Ｃ４）に対して、使用者が指定する天気の地域を前記携帯電子機器（例えば、Ｃ４）に通知することができる。
【００５６】
次に、気象情報の提供動作における携帯電子機器Ｃ４，Ｃ５・・・の処理をフローチャートを用いて（ｄ）気象計測処理、（ｅ）気象予測処理、（ｆ）天気のエリア表示処理、（ｇ）気象情報提供処理に分けて説明する。
なお、以下のフローチャートで示す各機能を実現させるためのプログラムは、携帯電子機器Ｃ４，Ｃ５・・・ではＣＰＵ Ｂ１が読み取り可能なプログラムコードの形態で図７に示すＲＯＭ Ｂ１０などに格納されている。
【００５７】
図１９は、携帯電子機器Ｃ４，Ｃ５・・・の主な動作を示したフローチャートである。携帯電子機器Ｃ４，Ｃ５・・・は、気象計測処理Ｓ１００、気象予測処理Ｓ２００，Ｓ５００、天気のエリア表示Ｓ３００、気象情報提供処理Ｓ４００，Ｓ６００の各動作処理を行う。
【００５８】
（ｄ）気象計測処理
図２０は、携帯電子機器Ｃ４，Ｃ５・・・における気象計測処理ｎ１００を示したフローチャートである。図２０のフローチャートに示すように、ＣＰＵ Ｂ１が気象計測処理Ｓ１００を実行することにより、ＧＰＳ衛星から受信用のアンテナＢ４を介してＧＰＳ情報を受信し、この受信したＧＰＳ情報から位置データを抽出することによって携帯電子機器Ｃ４，Ｃ５・・・が現在位置する位置情報の計測を行い、この計測した位置情報をＲＡＭ Ｂ１１のワーキングメモリ領域Ｂ１１ｄに記憶する（ステップＳ１０１）。
次に、ＣＰＵ Ｂ１は、所定時間（例えば、１分）後に上記と同様にして携帯電子機器Ｃ４，Ｃ５・・・が現在位置する位置情報の計測を行い、今回計測した位置情報と前回計測した位置情報を比較し、この比較結果に基づいて携帯電子機器Ｃ４，Ｃ５・・・が移動中か否かを判断する（ステップＳ１０２）。
ステップＳ１０２において携帯電子機器Ｃ４，Ｃ５・・・が移動中であると判断した場合（ステップＳ１０２：ｙｅｓ）ＣＰＵ Ｂ１は、気象計測処理Ｓ１００を終了する。
また、ステップＳ１０２において携帯電子機器Ｃ４，Ｃ５・・・が移動中でないと判断した場合（ステップＳ１０２：ｎｏ）ＣＰＵ Ｂ１は、気象データ制御部Ｂ９を制御することによって気圧センサーＢ１２、温度センサーＢ１３、湿度センサーＢ１４を操作し気象情報の計測を行い、前記ワーキングメモリ領域Ｂ１１ｄに前記計測した気象情報（気圧、温度、湿度）をステップＳ１０１における位置情報に対応させて記憶する（Ｓ１０３）。
【００５９】
次に、ＣＰＵ Ｂ１は、タイマーカウント部Ｂ１ａから現在の時刻を抽出し前記計測した気象情報及び位置情報と対応させて前記ワーキングメモリ領域Ｂ１１ｄに記憶する（ステップＳ１０４）。
次に、ＣＰＵ Ｂ１は、前記タイマーカウント部Ｂ１ａから抽出した現在の時刻が予め定められた時間（例えば、６時・９時・１２時・１５時・１８時・２１時）であった場合（ステップＳ１０５：ｙｅｓ）前記ワーキングメモリ領域Ｂ１１ｄから位置情報、時間情報及び気象情報を抽出しサーバ装置Ｃ２に送信する（ステップＳ１０６）。
また、ＣＰＵ Ｂ１は、前記タイマーカウント部Ｂ１ａから抽出した現在の時刻が予め定められた時間（例えば、６時・９時・１２時・１５時・１８時・２１時）でない場合（ステップＳ１０５：ｎｏ）、前記ワーキングメモリ領域Ｂ１１ｄから位置情報と時間情報を抽出しサーバ装置Ｃ２に送信する（ステップＳ１０７）。
次に、ＣＰＵ Ｂ１は、前記ワーキングメモリ領域Ｂ１１ｄから気象情報と時間情報を抽出し、ＲＡＭ Ｂ１１の計測気象データ格納領域Ｂ１１ａに気象情報と時間情報を対応させて記憶し（ステップＳ１０８）、気象計測処理Ｓ１００を終了する。
なお、気象計測処理Ｓ１００は、ＣＰＵ Ｂ１によって所定時間（例えば、１時間）毎に開始される。
【００６０】
（ｅ）気象予測処理
図２１は、携帯電子機器Ｃ４，Ｃ５・・・における気象予測処理Ｓ２００を示したフローチャートである。図２１のフローチャートに示すように、ＣＰＵ Ｂ１が気象予測処理Ｓ２００を実行することにより、携帯電子機器Ｃ４，Ｃ５・・・の使用者が気象予測を希望する位置として携帯電子機器Ｃ４，Ｃ５・・・に入力されたデータをＲＡＭ Ｂ１１のワーキングメモリ領域Ｂ１１ｄに記憶する（ステップＳ２０１）。前記使用者が気象予測を希望する位置は、携帯電子機器Ｃ４，Ｃ５・・・に表示させた地図上で指定入力し、又は、地域名や住所を入力することによって指定することができる。
次に、ＣＰＵ Ｂ１は、ＧＰＳ衛星から受信用のアンテナＢ４を介してＧＰＳ情報を受信し、この受信したＧＰＳ情報から位置データを抽出することによって携帯電子機器Ｃ４，Ｃ５・・・が現在位置する位置情報の計測を行い、この計測した位置情報をＲＡＭ Ｂ１１のワーキングメモリ領域Ｂ１１ｄに記憶する（ステップＳ２０２）。
次に、ＣＰＵ Ｂ１は、ワーキングメモリ領域Ｂ１１ｄから前記使用者が気象予測を希望する位置として入力されたデータと前記携帯電子機器Ｃ４，Ｃ５・・・が現在位置する位置情報に関するデータを抽出し比較する（ステップＳ２０３）。
【００６１】
次に、ＣＰＵ Ｂ１は、ステップＳ２０３における比較結果が一致（ステップＳ２０４：ｙｅｓ）したならば、ＲＡＭ Ｂ１１の計測気象データ格納領域Ｂ１１ａに記憶された気象情報と時間情報を対応させて読み出す（ステップＳ２０６）。
また、ＣＰＵ Ｂ１は、ステップＳ２０３における比較結果が一致しない（ステップＳ２０４：ｎｏ）ならば、サーバ装置Ｃ２に気象情報提供要求信号を送信（ステップＳ２０５）し、携帯電子機器Ｃ４，Ｃ５・・・の使用者が気象予測を希望する位置として携帯電子機器Ｃ４，Ｃ５・・・に入力されたデータをＲＡＭ Ｂ１１のワーキングメモリ領域Ｂ１１ｄから抽出し、気象予測位置データとしてサーバ装置Ｃ２に送信（ステップＳ２０７）する。
次に、ＣＰＵ Ｂ１は、サーバ装置Ｃ２から気象情報と時間情報を受信し、ＲＡＭ Ｂ１１の受信気象データ格納領域Ｂ１１ｂに気象情報と時間情報を対応付けて記憶する（ステップＳ２０８）。
【００６２】
次に、ＣＰＵ Ｂ１は、ステップＳ２０６で読み出された気象情報と時間情報、又は、サーバ装置Ｃ２から受信し、受信気象データ格納領域Ｂ１１ｂに記憶された気象情報と時間情報に基づいてグラフを作成し携帯電子機器Ｃ４，Ｃ５・・・の表示部Ｂ３に表示させる（ステップＳ２０９）。図２６に表示部Ｂ３に表示されたグラフを示す。
次に、ＣＰＵ Ｂ１は、表示部Ｂ３に表示された気圧値のグラフ変化を基にして数時間後の気象予測を行う（ステップＳ２１０）。具体的には、ＣＰＵ Ｂ１は、所定時間（例えば、１時間）毎に計測された気圧値のグラフから変化パターンを抽出し、この抽出した変化パターンを基にして数時間後の気圧値を算出し、グラフを予測表示する（図２６の点線部）。
次に、ＣＰＵ Ｂ１は、ＲＯＭ Ｂ１０の気圧と天気の対応データ格納領域Ｂ１０ｃから読み出した天気に対応する気圧値を基にして、表示されたグラフの気圧値に対応する天気を判断し、表示されたグラフに対して天気を識別表示させ（ステップ：Ｓ２１１）気象予測処理Ｓ２００を終了する。図２７に、表示されたグラフに対して天気を識別表示した場合の例を示す。この場合、気圧値をプロットする位置に天気記号を表示し、同一のグラフ線上に気圧と天気を表示するようにした。
【００６３】
ここで、計測気象データ格納領域Ｂ１１ａに記憶された各気圧値のデータから天気を抽出すると、図１０に示す気圧値データは、いずれも１００８ｈＰａ以上となるので天気は「晴れ」となる。
なお、一般的に天気と気圧値とは対応関係にあることが知られている。図１１に示す気圧値データは、天気と気圧値が対応関係にあることを示す一例であって、必ずしも図１１に示した気圧値と天気とが対応関係になくても良い。
また、図２７は、天気の識別表示として天気記号（例えば、○：快晴、◎：曇り）を用いたが、これは一例であってこの識別表示形態に限定されるものでは無い。
【００６４】
図２４は、携帯電子機器Ｃ４，Ｃ５・・・における気象予測処理Ｓ５００を示すフローチャートである。図２４のフローチャートに示すように、気象予測処理Ｓ５００は、ステップＳ５０８とステップＳ５０９を除いては気象予測処理Ｓ２００と同じ処理を行うため、ここではステップＳ５０８とステップＳ５０９について説明を行う。
ＣＰＵ Ｂ１は、携帯電子機器Ｃ４，Ｃ５・・・の使用者が指定した気象予測の位置のデータをＲＡＭ Ｂ１１のワーキングメモリ領域Ｂ１１ｄから抽出し、気象予測位置データとしてサーバ装置Ｃ２に送信する（ステップＳ５０７）と、次に、ＣＰＵ Ｂ１は、サーバ装置Ｃ２から使用者が指定した気象予測の位置に配置された携帯電子機器Ｃ４，Ｃ５・・・の情報（例えば、メールアドレス、回線ナンバーなど）を受信し、ＲＡＭ Ｂ１１のワーキングメモリ領域Ｂ１１ｄに記憶する（ステップ：Ｓ５０８）。
【００６５】
次に、ＣＰＵ Ｂ１は、前記携帯電子機器Ｃ４，Ｃ５・・・の情報（例えば、メールアドレス、回線ナンバーなど）を用いて、使用者が指定した気象予測の位置に配置された携帯電子機器Ｃ４，Ｃ５・・・にアクセスを行って気象情報と時間情報を受信し、ＲＡＭ Ｂ１１の受信気象データ格納領域Ｂ１１ｂに気象情報と時間情報を対応付けて記憶する（ステップＳ５０９）。
このように、気象予測処理Ｓ２００では、サーバ装置Ｃ２を介して気象情報と時間情報を受信した。これに対して、気象予測処理Ｓ５００では、使用者が指定した気象予測の位置に配置された携帯電子機器Ｃ４，Ｃ５・・・からサーバ装置Ｃ２を介さず直接、気象情報と時間情報を受信するようにしている。
【００６６】
（ｆ）天気のエリア表示処理
図２２は、携帯電子機器Ｃ４，Ｃ５・・・における天気のエリア表示Ｓ３００を示したフローチャートである。図２２のフローチャートに示すように、ＣＰＵ Ｂ１は、携帯電子機器Ｃ４，Ｃ５・・・の使用者が入力指定した天気をＲＡＭ Ｂ１１のワーキングメモリ領域Ｂ１１ｄに記憶（ステップＳ３０１）すると共に、この入力指定された天気に対応する気圧値のデータを、予め気圧値と天気を対応付けて登録したテーブル（ＲＯＭ Ｂ１０の気圧と天気の対応データ格納領域Ｂ１０ｃ）から抽出し、ＲＡＭ Ｂ１１のワーキングメモリ領域Ｂ１１ｄに記憶する（ステップＳ３０２）。
次に、ＣＰＵ Ｂ１は、携帯電子機器Ｃ４，Ｃ５・・・の使用者が入力指定したエリアデータを、ＲＡＭ Ｂ１１のワーキングメモリ領域Ｂ１１ｄに記憶する（ステップＳ３０３）
このエリアデータは、入力指定された天気の地域を検索する際に、検索範囲を特定する為のデータであり、携帯電子機器Ｃ４，Ｃ５・・・の使用者が前記携帯電子機器Ｃ４，Ｃ５・・・に表示させた地図上で範囲を指定し、又は、前記携帯電子機器Ｃ４，Ｃ５・・・に検索する地域名や住所を入力することによって指定することができる。
【００６７】
次に、ＣＰＵ Ｂ１は、サーバ装置Ｃ２に対して、天気のエリア情報の提供要求を行うためのデータを送信する（ステップＳ３０４）。
次に、ＣＰＵ Ｂ１は、ＲＡＭ Ｂ１１のワーキングメモリ領域Ｂ１１ｄから前期天気に対応する気圧値のデータと、前記エリアデータを抽出しサーバ装置Ｃ２に送信する（ステップＳ３０５）。
次に、ＣＰＵ Ｂ１は、サーバ装置Ｃ２から天気のエリア情報を受信し、ＲＡＭ Ｂ１１の受信した天気のエリアデータ格納領域Ｂ１１ｃに記憶する（ステップＳ３０６）。
次に、ＣＰＵ Ｂ１は、ステップＳ３０６で受信したエリアデータに基づいて、使用者が入力指定した天気に該当する地域を携帯電子機器Ｃ４，Ｃ５・・・の表示部Ｂ３に出力する（ステップＳ３０７）。
この天気のエリア表示は、ステップＳ３０３において携帯電子機器Ｃ４，Ｃ５・・・の使用者が地図上で範囲を指定した場合は、同じ地図上に、例えば、天気記号を用いて天気を識別表示し、又は、前記使用者が検索する地域名や住所を入力指定した場合は、この地域名や住所に対応付けて天気を表示させるようにする。
図２８に、使用者が範囲を指定した地図上にステップＳ３０１において指定された天気のエリアを表示する例を示す。
【００６８】
（ｇ）気象情報提供処理
図２３は、サーバ装置Ｃ２における気象情報提供処理ｎ２００に対する携帯電子機器Ｃ４，Ｃ５・・・での気象情報提供処理Ｓ４００を示すフローチャートである。
図２３のフローチャートに示すように、ＣＰＵ Ｂ１は、サーバ装置Ｃ２から気象情報提供要求を受信すると（ステップＳ４０１）、ＲＡＭ Ｂ１１の計測気象データ格納領域Ｂ１１ａから気象情報と時間情報を対応付けて抽出する（ステップＳ４０２）。
次に、ＣＰＵ Ｂ１は、前記抽出した気象情報と時間情報を対応付けながらサーバ装置Ｃ２に送信する（ステップＳ４０３）。
図２５は、携帯電子機器Ｃ４，Ｃ５・・・における気象予測処理Ｓ５００のステップＳ５０９に対応する気象情報提供処理Ｓ６００を示すフローチャートである。
図２５のフローチャートに示すように、ＣＰＵ Ｂ１は、携帯電子機器Ｃ４，Ｃ５・・・から気象情報提供要求を受信すると（ステップＳ６０１）、ＲＡＭ Ｂ１１の計測気象データ格納領域Ｂ１１ａから気象情報と時間情報を対応付けて抽出する（ステップＳ６０２）。
次に、ＣＰＵ Ｂ１は、前記抽出した気象情報と時間情報を対応付けながら携帯電子機器Ｃ５に送信する（ステップＳ６０３）。
【００６９】
本実施の形態における携帯電子機器Ｃ４，Ｃ５・・・及びサーバ装置C２によれば、携帯電子機器Ｃ４，Ｃ５・・・は、所定時間毎にＧＰＳ衛星から受信したＧＰＳ情報に基づいて位置（緯度、経度）を計測し、この計測した位置の時間変化から移動中でないと判断した場合に、気象情報を計測すると共に現在の時刻を計時し、前記位置情報と時間情報をサーバ装置Ｃ２へ送信する。そして、前記計時した時間が予め定められた時間のときは、前記位置情報と時間情報、及び、前記計測した気象情報をサーバ装置Ｃ２へ送信する。
一方サーバ装置Ｃ２は、携帯電子機器Ｃ４，Ｃ５・・・から受信した位置情報と時間情報、又は、位置情報と時間情報及び気象情報をメモリに記憶することにより、携帯電子機器Ｃ４，Ｃ５・・・が配置される位置及びこの位置における気象情報を常に把握することができる。
また、携帯電子機器Ｃ４，Ｃ５・・・は、所定の時間毎に気象情報を計測し自己のメモリに記憶することにより、この記憶された気象情報に基づく気象予測を行うことができる。
【００７０】
また、本実施の形態における携帯電子機器Ｃ４，Ｃ５・・・及びサーバ装置C２によれば、携帯電子機器（例えば、Ｃ４）は、ＧＰＳ衛星から受信したＧＰＳ情報に基づいて位置（緯度、経度）を計測する。そして、指定された位置と前記計測された位置とが異なる場合にサーバ装置Ｃ２から前記指定された位置における気象情報を入手し、この入手した気象情報に基づいて数時間後の気象予測を行い、この気象予測結果をグラフ表示することができる。
一方サーバ装置Ｃ２は、携帯電子機器（例えば、Ｃ４）の要求に基づいて指定された位置に配置する携帯電子機器（例えば、Ｃ５）をメモリから抽出し、この抽出された携帯電子機器（例えば、Ｃ５）に対して気象情報の提供要求をすると共に、受信した気象情報を携帯電子機器（例えば、Ｃ４）に送信する。
【００７１】
また、本実施の形態における携帯電子機器Ｃ４，Ｃ５・・・及びサーバ装置C２によれば、携帯電子機器（例えば、Ｃ４）は、ＧＰＳ衛星から受信したＧＰＳ情報に基づいて位置（緯度、経度）を計測する。そして、指定された位置と前記計測された位置とが異なる場合にサーバ装置Ｃ２から他の携帯電子機器（例えば、Ｃ５）に関する情報を受信し、この、他の携帯電子機器（例えば、Ｃ５）に対して気象情報の提供要求を行うと共に、入手した気象情報に基づいて数時間後の気象予測を行い、この気象予測結果をグラフ表示することができる。
一方サーバ装置Ｃ２は、携帯電子機器（例えば、Ｃ４）の要求に基づいて、指定された位置に配置する他の携帯電子機器（例えば、Ｃ５）をメモリから抽出し、この、他の携帯電子機器（例えば、Ｃ５）に関する情報を携帯電子機器（例えば、Ｃ４）に送信する。
【００７２】
更に、本実施の形態における携帯電子機器Ｃ４，Ｃ５・・・及びサーバ装置C２によれば、携帯電子機器Ｃ４，Ｃ５・・・は、指定された天気に対応する気象情報（例えば、気圧データ）と指定された検索地域に関するエリア情報をメモリに記憶する。そして、サーバ装置Ｃ２に天気のエリア情報提供要求と共に、前記天気に対応する気象情報と検索地域に関するエリア情報を送信し、サーバ装置Ｃ２から指定された天気である地域のエリアデータを受信し出力する。
一方、サーバ装置Ｃ２は、携帯電子機器Ｃ４，Ｃ５・・・から天気のエリア情報提供要求と共に、天気に対応する気象情報と検索地域に関するエリア情報を受信すると、記憶手段に記憶されたデータの中から前記エリア情報で指定された検索地域内で前記気象情報で指定された天気に一致する天気となる地域を抽出し、携帯電子機器Ｃ４，Ｃ５・・・に送信する。
【００７３】
なお、本発明は上記実施の形態に限定されるものではない。例えば、携帯電子機器Ｃ４，Ｃ５・・・は腕に装着する腕時計タイプであっても良い。また、指定する天気及び検索するエリアの入力は音声による入力であってもよい。更に予想した天気及び指定した天気のエリアを音声で出力するようにしても良い。
その他、発明の要旨を免脱しない範囲内で変更が可能である。
【００７４】
【発明の効果】
請求項１記載の発明によれば、携帯電子機器は、自己の位置を計測し、この計測した位置の時間的な変化を観測することによって移動中か否かを判断し、移動中でないならば気象情報を計測すると共に現在の時刻を計時し、前記自己の位置と前記計測した気象情報をサーバ装置へ送信する。そして、更に、携帯電子機器は、前記気象情報に前記計時した現在の時刻を対応付けて自己のメモリに記憶する。
よって、携帯電子機器は、所定時間毎に自己の位置情報とこの位置における気象情報を計測し、サーバ装置へ送信する。一方サーバ装置は、所定時間毎に携帯電子機器から位置情報と気象情報を入手し記憶することによって、携帯電子機器の配置する位置と、この位置における気象情報を常に把握することができる。
また、携帯電子機器は、所定時間毎に計測した気象情報を自己のメモリに記憶することによって、この記憶した気象情報に基づいて気象予測を行うことができる。
【００７５】
請求項２記載の発明によれば、携帯電子機器は、自己の位置を計測し、気象予測を行う位置として指定された位置と自己の位置が異なる場合に、サーバ装置から気象情報を受信し、この受信した気象情報から数時間後の気象情報を予測してグフを表示する。
よって、携帯電子機器は、現在配置された位置とは異なる場所における気象情報をサーバ装置から入手することができる。そして、この入手した気象情報に基づいて数時間後の気象情報について気象予測を行うことができる。更に、気象予測結果をグラフに表示することができる。
【００７６】
請求項３記載の発明によれば、請求項２記載の発明と同様の効果が得られることは無論のこと、特に、サーバ装置から受信した気象情報と、この気象情報から判断した天気とを同一のグラフ線上に天気を識別して表示するようにしたので、天気とこの天気を判断する気象情報、及び、天気とこの天気を判断する気象情報との関係を一目で把握することができる。
【００７７】
請求項４記載の発明によれば、請求項２記載の発明と同様の効果が得られることは無論のこと、特に、携帯電子機器は、指定された天気に対応するエリアデータを、指定された検索地域の範囲内でサーバ装置から受信し出力するようにしたので、天気を指定すると、現在指定された天気と同じ天気の地域を簡単に把握することができる。
【００７８】
請求項５記載の発明によれば、第１の携帯電子機器から気象予測を行いたい位置データを受信し、この受信した位置データに基づく位置に配置する第２の携帯電子機器を記憶手段から抽出し、第２の携帯電子機器から受信した気象情報を第１の携帯電子機器に送信するようにした。
よって、サーバ装置は、携帯電子機器の位置情報とこの位置における気象情報を記憶手段に保持しているので、第１の携帯電子機器が指定した位置における気象情報を簡単に記憶手段から抽出し、速やかに前記第１の携帯電子機器に通知することができる。
【００７９】
請求項６記載の発明によれば、サーバ装置は、第１の携帯電子機器から検索地域を指定するエリア情報と天気に対応する気象情報を受信し、この受信したエリアに位置し、且つ、前記天気に対応する気象情報を有する第３の携帯電子機器を記憶手段から抽出し前記第１の携帯電子機器に通知する。
よって、サーバ装置は、携帯電子機器の位置情報とこの位置における気象情報を記憶手段に保持しているので、受信したエリアに位置し、且つ、指定された天気に対応する気象情報を有する第３の携帯電子機器を簡単に前記記憶手段から抽出し、速やかに前記第１の携帯電子機器に通知することができる。
【００８０】
【図面の簡単な説明】
【図１】本発明の実施の形態におけるシステム構成を示す図である。
【図２】本発明の実施の形態におけるサーバ装置の構成を示すブロック図である。
【図３】本発明の実施の形態におけるサーバ装置のＲＡＭ内の構成を示す図である。
【図４】本発明の実施の形態におけるサーバ装置のＲＡＭ内における位置情報格納領域の詳細な構成を示した図である。
【図５】本発明の実施の形態におけるサーバ装置のＲＡＭ内における天気のエリア情報格納領域の詳細な構成を示した図である。
【図６】本発明の実施の形態におけるサーバ装置のＲＡＭ内における気象情報格納領域の詳細な構成を示した図である。
【図７】本発明の実施の形態における携帯電子機器の構成を示すブロック図である。
【図８】本発明の実施の形態における携帯電子機器のＲＯＭ内の構成を示す図である。
【図９】本発明の実施の形態における携帯電子機器のＲＡＭ内の構成を示す図である。
【図１０】本発明の実施の形態における携帯電子機器のＲＡＭ内における計測気象データ格納領域の詳細な構成を示した図である。
【図１１】本発明の実施の形態における携帯電子機器のＲＯＭ内における気圧と天気の対応データ格納領域の詳細な構成を示した図である。
【図１２】本発明の実施の形態における携帯電子機器のＲＡＭ内における受信気象データ格納領域の詳細な構成を示した図である。
【図１３】本発明の実施の形態における携帯電子機器のＲＡＭ内における受信した天気のエリアデータ格納領域の詳細な構成を示した図である。
【図１４】本発明の実施の形態におけるサーバ装置の主な動作処理を示した図である。
【図１５】本発明の実施の形態におけるサーバ装置の位置データ受信処理を説明するためのフローチャートである。
【図１６】本発明の実施の形態におけるサーバ装置の気象情報提供処理を説明するためのフローチャートである。
【図１７】本発明の実施の形態におけるサーバ装置の天気のエリア情報の提供処理を説明するためのフローチャートである。
【図１８】本発明の実施の形態におけるサーバ装置の気象情報提供処理を説明するためのフローチャートである。
【図１９】本発明の実施の形態における携帯電子機器の主な動作処理を示した図である。
【図２０】本発明の実施の形態における携帯電子機器の気象計測処理を説明するためのフローチャートである。
【図２１】本発明の実施の形態における携帯電子機器の気象予測処理を説明するためのフローチャートである。
【図２２】本発明の実施の形態における携帯電子機器の天気のエリア表示を説明するためのフローチャートである。
【図２３】本発明の実施の形態における携帯電子機器の気象情報提供処理を説明するためのフローチャートである。
【図２４】本発明の実施の形態における携帯電子機器の気象予測処理を説明するためのフローチャートである。
【図２５】本発明の実施の形態における携帯電子機器の気象情報提供処理を説明するためのフローチャートである。
【図２６】本発明の実施の形態における携帯電子機器が計測した気象情報に基づいて作成されたグラフの表示例である。
【図２７】本発明の実施の形態における携帯電子機器が計測した気象情報に基づいて作成されたグラフに識別表示された天気を加えて表示した例である。
【図２８】本発明の実施の形態における指定された天気のエリアを表示する例を示す。
【符号の説明】
Ａ１      ＣＰＵ
Ａ８      ＲＯＭ
Ａ９      ＲＡＭ
Ｂ１      ＣＰＵ
Ｂ５      位置計測部
Ｂ６      通信制御部
Ｂ９      気象データ制御部
Ｂ１０      ＲＯＭ（携帯電子機器）
Ｂ１１      ＲＡＭ（携帯電子機器）
Ｂ１２      気圧センサー
Ｂ１３      温度センサー
Ｂ１４      湿度センサー
Ｃ１      ネットワーク
Ｃ２      サーバ装置
Ｃ３      基地局
Ｃ４，Ｃ５      携帯電子機器
【図１】
2004191265.tif 000003
【図２】
2004191265.tif 000004
【図３】
2004191265.tif 000005
【図４】
2004191265.tif 000006
【図５】
2004191265.tif 000007
【図６】
2004191265.tif 000008
【図７】
2004191265.tif 000009
【図８】
2004191265.tif 000010
【図９】
2004191265.tif 000011
【図１０】
2004191265.tif 000012
【図１１】
2004191265.tif 000013
【図１２】
2004191265.tif 000014
【図１３】
2004191265.tif 000015
【図１４】
2004191265.tif 000016
【図１５】
2004191265.tif 000017
【図１６】
2004191265.tif 000018
【図１７】
2004191265.tif 000019
【図１８】
2004191265.tif 000020
【図１９】
2004191265.tif 000021
【図２０】
2004191265.tif 000022
【図２１】
2004191265.tif 000023
【図２２】
2004191265.tif 000024
【図２３】
2004191265.tif 000025
【図２４】
2004191265.tif 000026
【図２５】
2004191265.tif 000027
【図２６】
2004191265.tif 000028
【図２７】
2004191265.tif 000029
【図２８】
2004191265.tif 000030